(57)【要約】【課題】テーブル上の切断材に対して上方から回転刃具を切り込んで切断加工を行う卓上切断機において、切断機本体を左右に傾けて傾斜切りを行う場合に従来直角切り位置と45°傾斜切り位置についてはポジティブロック機構により簡単に位置決めすることができたが、その他の傾斜角度については位置決めが面倒であった。本発明では例えば22.5°や33.9°等のその他の傾斜角度についても簡単に位置決めできるようにする。【解決手段】切断機本体10の傾斜支持機構20に第１系統及び第２系統の傾斜位置決め機構40A,40Bを備える。両系統の傾斜支持機構40A,40Bはそれぞれ切り換えロッド33,41をストッパボルトB2〜B7に当接して位置決めするポジティブストップ機構とする。両系統の傾斜支持機構40A,40Bにおける切り換えロッド33,41を切り換えることにより異なるストッパボルトに当接させて、切断機本体10を22.5°や33.9°等の傾斜角度に位置決め可能な構成とする。【選択図】図２
2010125540.tif 000002
【特許請求の範囲】
【請求項１】
切断材を載置するテーブルと、該テーブルの上方に位置して上下に移動操作可能に支持された切断機本体を、切断進行方向に対して左方又は右方に傾斜させた状態に支持するための傾斜支持機構であって、
前記テーブルに設けた傾斜基台部と、前記切断機本体を支持し、該傾斜基台部に対して前記テーブルの上面に平行な傾斜支軸を介して回動可能に結合された傾斜支持部と、前記傾斜基台部と前記傾斜支持部との間に介装され、前記切断機本体を、回転刃具の回転軸線を前記テーブルの上面に対して平行に位置させた直角切り位置に位置決めするための直角位置決め機構と、前記直角切り位置から前記回転刃具の回転軸線を左方又は右方に傾斜させた傾斜切り位置に位置決めするための第１系統及び第２系統の傾斜位置決め機構を備え、
該両系統の傾斜位置決め機構は、それぞれ前記傾斜基台部若しくは前記傾斜支持部の一方に、少なくとも２つの異なる傾斜角度に対応する位置に移動操作可能に切り換え部材を備え、前記傾斜基台部若しくは前記傾斜支持部の他方に、前記切り換え部材が当接されて前記切断機本体の傾斜切り位置を位置決めするストッパボルトを備え、該両系統の傾斜位置決め機構を個別に切り換え操作して前記切断機本体を少なくとも４つの異なる傾斜角度に位置決め可能な構成とした傾斜支持機構。
【請求項２】
請求項１記載の傾斜支持機構であって、前記切断機本体が、前記第１系統の傾斜位置決め機構により４５°と４８°の傾斜角度で位置決め可能で、前記第２系統の傾斜位置決め機構により２２．５°と３３．９°の傾斜角度で位置決め可能な傾斜支持機構。
【請求項３】
請求項１記載の傾斜支持機構であって、前記第１系統若しくは前記第２系統の少なくとも一方の傾斜位置決め機構は、軸回りに回転操作可能に設けられた切り換え部材を備え、該切り換え部材にその軸線からの距離が異なる複数の位置決め面を設け、該位置決め面を前記ストッパボルトに当接させて前記切断機本体を少なくとも２つの異なる傾斜角度に位置決め可能な構成とした傾斜支持機構。
【請求項４】
請求項１記載の傾斜支持機構であって、前記第１系統若しくは前記第２系統の少なくとも一方の傾斜位置決め機構は、軸方向に移動操作可能に設けられた切り換え部材を備え、該切り換え部材の軸線方向の位置に対応して当接するストッパボルトを切り換えることにより、前記切断機本体を少なくとも２つの異なる傾斜角度に位置決め可能な構成とした傾斜支持機構。
【請求項５】
切断材を載置するテーブルと、該テーブルの上方に位置して上下に移動操作可能に支持された切断機本体を、切断進行方向に対して左方又は右方に傾斜させた状態に支持するための傾斜支持機構であって、
前記テーブルに設けた傾斜基台部と、前記切断機本体を支持し、該傾斜基台部に対して前記テーブルの上面に平行な傾斜支軸を介して回動可能に結合された傾斜支持部と、前記傾斜基台部と前記傾斜支持部との間に介装され、前記切断機本体を、回転刃具の回転軸線を前記テーブルの上面に対して平行に位置させた直角切り位置に位置決めするための直角位置決め機構と、前記直角切り位置から前記回転刃具の回転軸線を左方又は右方に傾斜させた傾斜切り位置に位置決めするための傾斜位置決め機構を備え、
前記直角位置決め機構は、前記傾斜基台部若しくは前記傾斜支持部の一方に、直角位置決め用の直角位置決め部材を、位置決め位置と退避位置との間を移動操作可能に備え、他方に該直角位置決め部材が当接される直角位置決め用のストッパボルトと第１傾斜角度用のストッパボルトを備え、
前記傾斜位置決め機構は、前記傾斜基台部若しくは前記傾斜支持部の一方に、傾斜位置決め用の傾斜位置決め部材を備え、他方に該傾斜位置決め部材が当接される第２傾斜角度用及び第３傾斜角度用のストッパボルトを備え、
前記直角位置決め部材を前記位置決め位置に移動操作して、前記切断機本体を直角切り位置と第１傾斜角度で位置決め可能であり、前記直角位置決め部材を前記退避位置に移動操作して、前記切断機本体を第２傾斜角度と第３傾斜角度で位置決め可能な傾斜支持機構。
【発明の詳細な説明】
【技術分野】
【０００１】
この発明は、例えば円形の砥石あるいは鋸刃等の回転刃具を備えた切断機本体を下動させて切断材を切断加工等する形態の卓上切断機において、いわゆる傾斜切りをするために切断機本体を切断進行方向に対して左方又は右方に傾斜させた状態に支持する機構に関する。
この明細書では、切断加工には、被加工材を分離する加工形態の他、被加工材を分離しないが切り込みを入れる溝入れ加工、あるいは被加工材を研削する加工等をも含むものとする。
【背景技術】
【０００２】
この種の卓上切断機は、上面に切断材を載置するためのテーブルと、このテーブルの上方に支持されて上下に移動操作する切断機本体を備えるもので、回転刃具を回転させつつ切断機本体を下動させて、テーブル上に固定した切断材に切り込むことにより切断加工が行われる。
主として木工用の卓上切断機ではテーブルが水平回転可能に支持されたものが提供されている。切断機本体は回転テーブルに支持されており、回転テーブルを一定角度回転させると切断機本体が一体で水平方向に旋回してその向きが変化する。
また、回転テーブルの上方には、切断材をテーブル面方向に位置決めするための位置決めフェンスが設けられている。この位置決めフェンスには、テーブル上面に直交し、かつテーブルの回転中心に一致する位置決め面が設けられている。この位置決め面に、切断材の基準面（側面）を当接させることにより切断材がテーブル面方向に位置決めされる。
位置決めフェンスに対してテーブルを回転させることにより、切断材の基準面に対して回転刃具の切り込み角度を傾斜させることができる。
また、主として木工用の卓上切断機では、上記のテーブルを回転させて行う傾斜切り機能（テーブル傾斜切り）に加えて若しくは代えて切断機本体を左右に傾斜させて行う傾斜切り機能（本体傾斜切り）を備えたものが提供されている。この本体傾斜切りでは、切断機本体を左方または右方に斜めに傾斜させた状態で回転刃具を切断材の上面に対して板厚方向に斜めに切り込ませることが行われる。この本体傾斜切りでは、回転刃具の回転軸線がテーブルの上面に対して平行に位置しない状態となる。これに対して前記したテーブル傾斜切りでは、回転刃具の回転軸線はテーブルの上面に対して平行に保持される。
以下、この明細書では、特に断らない限り、切断機本体を左側若しくは右側に傾斜させて行う本体傾斜切りを単に傾斜切りと称して、テーブルを回転させて行うテーブル傾斜切りと区別する。
切断機本体を傾斜させて行う傾斜切りでは、切断機本体の直角切り位置（切断機本体を傾斜させない位置）及び一定角度の傾斜切り位置への位置決めを迅速かつ精確に行えるようにする必要があり、このための技術として従来例えば下記の特許文献に記載された技術が公知になっている。
従来の傾斜切り機構は、テーブルに固定して設けた傾斜基台部（固定側）と、この傾斜基台部に対して水平方向の傾動支軸を介して一定の角度範囲内で回動可能に結合された傾斜支持部（傾動側）を主体とするもので、傾斜支持部に切断機本体が支持されている。この従来の傾斜切り機構では、傾斜基台部側に設けたストッパボルトに、傾斜支持部側に設けたストッパ凸部を当接させることにより、例えば直角切り位置と４５°傾斜切り位置に位置決めし、この位置決め状態を保持しつつ別途設けた固定レバーを締め込み方向に操作して切断機本体の傾斜切り位置を固定する構成となっていた。
【特許文献１】米国特許第６１０１９１４号公報
【特許文献２】特許第２５６３８６６号公報
【発明の開示】
【発明が解決しようとする課題】
【０００３】
このように、従来の傾斜切り機構では、直角切り位置と左右一箇所ずつの傾斜切り位置（４５°傾斜切り位置）については、ストッパ凸部をストッパボルトに当接させることにより迅速かつ精確に位置決めすることができるいわゆるポジティブストップ機構が採用されていた。このポジティブストップ機構によれば、使用者はわざわざ角度目盛りを確認することなく切断機本体を傾斜させれば一定の角度位置に位置決めすることができる。
しかしながら、従来ポジティブストップ機構により位置決めされる傾斜角度以外の傾斜角度に切断機本体を位置決めする場合には、依然として使用者は角度目盛りを目で確認しながら切断機本体を傾斜させて、目標角度で保持しつつ固定レバーを締め込んで切断機本体を固定する必要があり、この点でより多くの角度で傾斜させる場合の使い勝手がよくなかった。
本発明は、切断機本体を、直角切り位置や４５°傾斜切り位置以外の傾斜角度についても、従来のように角度目盛りを確認しなくても迅速かつ精確に位置決めすることができるポジティブストップ機構を採用した傾斜支持機構を提供することを目的とする。
【課題を解決するための手段】
【０００４】
このため、本発明は、特許請求の範囲の各請求項に記載した構成の傾斜支持機構とした。
請求項１記載の傾斜支持機構によれば、直角位置決め機構の他に、個別に切り換え操作される第１系統及び第２系統の傾斜位置決め機構を備えて、それぞれ切り換え部材をストッパボルトに当接させるポジティブストップ機構により少なくとも４つの傾斜角度に切断機本体を位置決めすることができる。
このことから、使用者は切断機本体を傾斜させる際に、従来のようにわざわざ角度目盛りを確認することなく、切断機本体を一定の傾斜角度で迅速かつ精確に位置決めすることができる。このように、複数の傾斜角度についてポジティブストップ機構を採用した傾斜支持機構であるので、予め予定される傾斜角度にストッパボルトを複数箇所設けておくことにより、切断機本体を従来よりも多くの傾斜角度で位置決めすることができ、これにより当該切断機をより多様な形態の切断加工に対応させることができる。
請求項２記載の傾斜支持機構によれば、第１系統と第２系統の傾斜位置決め機構のそれぞれにおいて切り換え操作を行うことにより、切断機本体を４５°、４８°、２２．５°及び３３．９°の４つの傾斜角度を任意に選択して位置決めすることができる。
請求項３記載の傾斜支持機構によれば、切り換え部材を回転操作することにより複数の位置決め面の１つを有効な位置決め面として任意に選択することにより、当該第１系統若しくは第２系統の傾斜位置決め機構によって少なくとも２つの傾斜角度の１つを任意に選択して切断機本体を傾斜切り位置に位置決めすることができる。
請求項４記載の傾斜支持機構によれば、切り換え部材を軸方向に移動操作することにより複数の位置決め面の１つを有効な位置決め面として任意に選択することにより、当該第１系統若しくは第２系統の傾斜位置決め機構によって少なくとも２つの傾斜角度の１つを任意に選択して切断機本体を傾斜切り位置に位置決めすることができる。
このように第１系統及び第２系統が備える切り換え部材は、その軸回りに回転させることにより傾斜角度を切り換える構成であっても、その軸線方向に移動させることにより傾斜角度を切り換える構成であってもよい。
請求項５記載の傾斜支持機構によれば、直角位置決め部材を位置決め位置に移動操作した状態で、切断機本体を左方又は右方に傾動させると直角位置決め部材が直角位置決め用のストッパボルトに当接することにより当該切断機本体が直角切り位置に位置決めされ、切断機本体を反端側へ傾動させると直角位置決め部材が第１傾斜角度用のストッパボルトに当接して当該切断機本体が第１傾斜角度で位置決めされる。
直角位置決め部材を退避位置に移動操作して、これが直角位置決め用のストッパボルト及び第１傾斜角度用のストッパボルトの何れにも当接しない状態とすることにより、切断機本体を左右一方に傾動させると、傾斜位置決め部材が第２傾斜角度用のストッパボルトに当接して切断機本体が第２傾斜角度で位置決めされ、反端側に傾動させると、傾斜位置決め部材が第３傾斜角度用のストッパボルトに当接して切断機本体が第３傾斜角度で位置決めされる。
このように請求項５記載の傾斜支持機構によれば、直角位置決め部材を位置決め位置に位置させた状態では、切断機本体を直角切り位置と第１傾斜角度で傾斜させた傾斜切り位置に位置決めすることができ、直角位置決め部材を退避位置に位置させた状態では、切断機本体を第２若しくは第３傾斜角度で傾斜させた傾斜切り位置に位置決めすることができ、直角位置決め部材の操作のみで直角切り位置（傾斜角度０°）を含む４つの傾斜角度についてポジティブストップ機構により位置決めすることができる。
このことから、請求項５記載の傾斜支持部によっても、使用者は切断機本体を傾斜させる際に、従来のようにわざわざ角度目盛りを確認することなく、切断機本体を一定の傾斜角度で迅速かつ精確に位置決めすることができる。
【発明を実施するための最良の形態】
【０００５】
次に、本発明の実施形態を図１〜図１５に基づいて説明する。図１は、第１実施形態に係る卓上切断機１の全体を示している。この卓上切断機１は、上面に切断材Ｗを固定するためのテーブル２と、このテーブル２を水平方向に一定の角度範囲で回転可能に支持するベース３と、テーブル２の後部（図１において左端部）に設けた本体支持部４と、この本体支持部４によってテーブル２の上方に支持された切断機本体１０を備えている。図１においてこの卓上切断機１の右側に使用者が位置する。テーブル２の使用者から見て手前側の前部には、使用者が把持するグリップ部２ａ及びテーブル２の回転位置を位置決め、固定するためのロック機構２ｂ等が設けられている。
テーブル２の上面には、切断材Ｗをテーブル面方向に位置決めするための位置決めフェンス５が配置されている。この位置決めフェンス５はベース３側に固定されており、テーブル上面とは僅かな隙間をおいて跨った状態に配置されてテーブル２の水平回転が許容されるようになっている。位置決めフェンス５により位置決めされた切断材Ｗは、図示省略したクランプ装置によってテーブル２の上面に固定される。
本体支持部４は、切断機本体１０をテーブル２に対して水平方向にスライド可能に支持する左右一対のスライドバー６，６と、切断機本体１０を使用者から見て左右（図１において紙面に直交する方向）に傾斜させる傾斜支持機構２０と、切断機本体１０を上下に傾動可能に支持する本体支持アーム８を備えている。スライドバー６，６を介して切断機本体１０がテーブル面方向に沿って前後方向にスライド可能に支持されている。両スライドバー６，６による切断機本体１０のスライド方向が切断方向となる。通常、切断機本体１０を図１において右側から左側に向けてスライドさせることによって切断材Ｗの切断がなされる。
第１実施形態は、傾斜支持機構２０について従来にない特徴を有するもので、その他の基本的構成については特に変更を要しない。傾斜支持機構２０については後述する。
【０００６】
本体支持アーム８は、Ｌ字形に屈曲しており、その屈曲先端側に本体傾動軸９を介して切断機本体１０の本体ケース１１が上下に傾動可能に支持されている。この本体ケース１１によって円形の回転刃具１２の上側ほぼ半周の範囲が覆われている。回転刃具１２は、本体ケース１１に表示した白抜きの矢印１２ａで示すように図１において時計回り方向に回転する。回転刃具１２はスピンドル１３に取り付けられている。スピンドル１３は本体ケース１１に回転支持されており、本体ケース１１の背面側（図１では見えない）に取り付けた電動モータと減速歯車列を経て回転する。スピンドル１３の回転軸線が、回転刃具１２の回転軸線となる。
また、本体ケース１１の背面側には、使用者が把持するハンドル部１４が設けられている。使用者がこのハンドル部１４を把持してトリガ式のスイッチレバー１５を指先で引き操作すると電動モータが起動して回転刃具１２が回転する。また、使用者がハンドル部１４を把持して当該切断機本体１０を下方へ傾動させることにより回転する回転刃具１２を切断材Ｗに対して切り込むことができる。
回転刃具１２の下側ほぼ半周の範囲は、可動カバー１６によって覆われるようになっている。この可動カバー１６は、スピンドル１３と平行な支軸１６ａを介して上下に回動可能な状態で本体ケース１１に支持されている。この可動カバー１６は、切断機本体１０の傾動動作に連動して開閉される。可動カバー１６と本体支持アーム８の先端部との間にはリンクアーム１７が介装されている。このリンクアーム１７の後端部（図示左端部）は、本体支持アーム８の先端部に支軸１７ａを介して上下に回動可能に結合されている。支軸１７ａは本体傾動軸９に対して一定寸法ずれて配置されている。切断機本体１０の傾動動作に伴ってこのリンクアーム１７が本体支持アーム８に対する支軸１７ａを中心にして上下に傾動する。切断機本体１０を下方へ傾動させると、可動カバー１６は図１において反時計回り方向に回動して開かれ、これにより回転刃具１２の下側半周の範囲が徐々に開かれていく。切断機本体１０を上方へ傾動させると、可動カバー１６は図１において時計回り方向に回動して徐々に閉じられていく。
【０００７】
傾斜支持機構２０は、傾斜基台部２１と傾斜支持部２２を備えている。傾斜基台部２１は、両スライドバー６，６を介してテーブル２の後部に支持されている。両スライドバー６，６の後端部は、傾斜基台部２１に固定されている。
図２には傾斜支持機構２０の詳細が示されている。傾斜支持部２２は、傾斜支軸２３を介して傾斜基台部２１に回転可能に結合されている。傾斜支軸２３は、テーブル２の上面に対して平行で、かつ平面的に見てテーブル２の回転中心を通り、また回転刃具１２の回転軸線に対して直交する状態に配置されている。傾斜支持部２２に本体支持アーム８が一体に設けられている。このため、傾斜支軸２３を中心にして傾斜支持部２２を回動させることにより切断機本体１０を左右に傾動させることができる。
傾斜基台部２１に対する傾斜支持部２２の回動位置（切断機本体１０の傾斜位置）は、１本の固定ねじによって固定される。図ではこの固定ねじが省略されているが、そのねじ軸部が傾斜基台部２１側に設けたねじ孔に締め込まれている。固定ねじの頭部（後端部）には、固定レバー２５が取り付けられている。固定レバー２５をロック位置とアンロック位置との間で一定角度回動操作することにより、固定ねじのねじ軸部を傾斜基台部２１側のねじ孔に締め込んで傾斜支持部２２を傾斜基台部２１に対して固定することができ、逆にねじ軸部のねじ孔に対する締め込みを緩めることにより、傾斜支持部２２を傾斜基台部２１に対して回動可能な状態とすることができる。固定レバー２５をロック位置に回動操作すると、切断機本体１０を直角切り位置若しくは左右の傾斜切り位置に固定することができる。固定レバー２５をアンロック位置に回動操作すると、切断機本体１０を左右に傾動可能な状態となる。以下の説明において、切断機本体１０を傾動させる際には、予め固定レバー２５がアンロック位置に回動操作されるものとする。
傾斜基台部２１に対する傾斜支持部２２の回動位置、ひいては切断機本体１０の左右の傾斜切り位置は、複数箇所で位置決めできるようになっている。第１実施形態の場合、使用者から見て左側及び右側のそれぞれについて、直角切り位置から２２．５°、３３．９°、４５°及び４８°に位置決めすることができるようになっている。直角切り位置では、回転刃具１２がテーブル２の上面に対して直交する位置（図３において基線Ｓで示す位置）に位置する。この明細書において、切断機本体１０の左右への傾斜角度については、この基線Ｓ（直角切り位置）に対する回転刃具１２の傾斜角度で表す。従って、直角切り位置は、傾斜角度０°（ゼロ度）となる。
【０００８】
切断機本体１０の直角切り位置は、切断材Ｗをいわゆる直角切りするための位置で、回転刃具１２の回転軸線（スピンドル１３の軸線）をテーブル２の上面に対して平行に位置させて、当該回転刃具１２をテーブル２の上面に直角に位置させた状態となる。この直角切りが最も多様される切断形態である。この直角切り位置は、従来公知（例えば特許文献２）の直角位置決め機構３０によって位置決めされる。
この直角位置決め機構３０は、直角位置決め部材３１を備えている。直角位置決め部材３１は、支軸３２を介して傾斜支持部２２の内部に回動可能に支持されている。支軸３２は、傾斜支軸２３に対して平行に配置されている。この支軸３２を中心にして直角位置決め部材３１は、捩りばね３７によって図３において時計回り方向であって、その先端部３１ｂを傾斜支持部２２の内壁に設けた規制部２１ａに押し当てた位置決め位置側に付勢されている。図３において位置決め位置に位置する直角位置決め部材３１が実線で示されている。これに対して後述する退避位置に移動した直角位置決め部材３１が二点鎖線で示されている。
傾斜基台部２１には、３つのストッパボルトＢ１〜Ｂ３が設けられている。この三つのストッパボルトＢ１〜Ｂ３は、傾斜基台部２１の上側ほぼ半周の範囲において、外部から内部に貫通してその先端部を内周側に突き出した状態に配置されている。図３において中央の第１ストッパボルトＢ１が直角位置決め機構３０を構成している。図３において左右の第２及び第３ストッパボルトＢ２，Ｂ３は後述する第１系統の傾斜位置決め機構４０Ａを構成している。
第１ストッパボルトＢ１は、切断機本体１０を直角切り位置に位置決めするためのストッパボルトで、テーブル２の上面に対してほぼ平行に配置されている。図３に示すように、規制部２１ａに当接して時計回り方向の回動が規制された状態の直角位置決め部材３１の先端部３１ｂをこの第１ストッパボルトＢ１に当接させることによって切断機本体１０の直角切り位置が位置決めされる。この位置決め状態で、固定レバー２５を固定側に回動操作して傾斜基台部２１に対して傾斜支持部２２を回転について固定することにより、切断機本体１０を直角切り位置に固定することができる。
【０００９】
直角位置決め部材３１が付勢力によりその先端部３１ｂを傾斜支持部２２の内壁に当接させる位置決め位置に位置する状態では、切断機本体１０を左側へ傾斜させることができる一方、右側へ傾斜させることができない。切断機本体１０を右側へ傾斜させる場合には、直角位置決め部材３１を図中実線で示す位置決め位置から図中二点鎖線で示す退避位置に変位させる。直角位置決め部材３１を退避位置に変位させるには、傾斜支持部２２の側部に設けた右傾斜用ボタン３６を押し操作する。この右傾斜用ボタン３６は、作動軸部３６ａを備えている。この作動軸部３６ａは、傾斜支持部２２の内側に突き出されている。この作動軸部３６ａの先端部は、位置決め位置に位置する直角位置決め部材３１の作動凸部３１ａに向けられている。この右傾斜用ボタン３６は、圧縮ばね３６ｂによってその作動軸部３６ａの先端部を作動凸部３１ａとの間に僅かな隙間をおいた位置に戻す方向に付勢されている。この圧縮ばね３６ｂの付勢力に抗して当該右傾斜用ボタン３６を図３において左側へ押し操作すると、作動軸部３６ａの先端が、位置決め位置に位置する直角位置決め部材３１の作動凸部３１ａに押し当てられ、これにより当該直角位置決め部材３１が、位置決め位置側への付勢力に抗して退避位置側（図３において二点鎖線で示す位置）へ回動する。直角位置決め部材３１が退避位置に移動すると、その先端部３１ｂが第１ストッパボルトＢ１に当接しない位置に変位することから傾斜支持部２２が傾斜基台部２１に対して図３において反時計回り方向へ回動可能となり、これにより切断機本体１０を右側へ傾斜させることができるようになる。
こうして切断機本体１０を右側へ傾斜させた状態から再び左側に戻すと、直角切り位置を通過した段階で直角位置決め部材３１がその付勢力によって退避位置から位置決め位置に自動的に戻される。このため、直角切り位置を通過した後、再度右側へ戻すと、直角位置決め部材３１の先端部３１ｂが第１ストッパボルトＢ１に当接して、当該切断機本体１０が直角切り位置に精確に位置決めされる。
第１ストッパボルトＢ１は、傾斜基台部２１の外部からその締め込み量を調整することができる。第１ストッパボルトＢ１の締め込み量を調整することにより、直角切り位置を微調整することができる。
【００１０】
第１実施形態に係る傾斜支持機構２０は、上記直角位置決め機構３０の他、傾斜位置決め機構４０を備えている。第１実施形態の傾斜位置決め機構４０は、２系統の傾斜位置決め機構４０Ａ，４０Ｂを備えている。この２系統の傾斜位置決め機構４０Ａ，４０Ｂによって、上記の直角切り位置の他、切断機本体１０を左右にそれぞれ一定の角度で傾斜させた複数の傾斜切り位置に位置決めすることができる。
第１系統の傾斜位置決め機構４０Ａは、第２及び第３ストッパボルトＢ２，Ｂ３と第１切り換え部材３３を備えている。この第１系統の傾斜位置決め機構４０Ａでは、切断機本体１０を左右へ４５°若しくは４８°の傾斜角度に位置決めすることができる。図３において左側の第２ストッパボルトＢ２は切断機本体１０を左側へ４５°又は４８°傾斜させた位置に位置決めするためのストッパボルトで、図３において右側の第３ストッパボルトＢ３は切断機本体１０を右側へ４５°又は４８°傾斜させた位置に位置決めするためのストッパボルトで、それぞれテーブル２の上面に対してその先端側を斜め下向きにした向きに配置されている。
第１切り換え部材３３には、比較的太い軸形状をなす部材が用いられている。この第１切り換え部材３３の後端部は、傾斜支持部２２に設けた支持孔２２ａ内に回転可能に支持されている。この第１切り換え部材３３は傾斜支軸２３の下側に配置されている。このため、この第１切り換え部材３３は傾斜基台部２１に対する傾斜支持部２２の回動ひいては切断機本体１０の傾動に伴って、傾斜支軸２３の周囲を傾斜支持部２２と一体で平行移動する。また、この第１切り換え部材３３は、傾斜支軸２３に平行な軸線回りに回転可能に支持されている。図２に示すようにこの第１切り換え部材３３の後端部は、支持孔２２ａの後部から突き出されており、この突き出し部分に切り換えレバー３４が取り付けられている。この切り換えレバー３４を約９０°の角度範囲で回転操作することによって第１切り換え部材３３をその軸回りに回転させることができる。この切り換えレバー３４の操作位置はディテント３５によって保持される。このディテント３５の位置保持力（付勢力）に抗して切り換えレバー３４を回転操作することができる。
第１切り換え部材３３の前端部側は、傾斜基台部２１の内部に進入している。この第１切り換え部材３３の前端部には、それぞれ平坦面である２つの４５°位置決め面３３ａ，３３ａと２つの４８°位置決め面３３ｂ，３３ｂが設けられている。軸線回りの位置について、２つの４５°位置決め面３３ａ，３３ａが相互に平行に配置され、２つの４８°位置決め面３３ｂ，３３ｂが相互に平行に配置されて、４５°位置決め面３３ａと４８°位置決め面３３ｂが約９０°間隔で交互に配置されている。
第１切り換え部材３３の軸線からの距離について、２つの４５°位置決め面３３ａ，３３ａまでの距離は、２つの４８°位置決め面３３ｂ，３３ｂまでの距離よりも大きくなっている。従って、２つの４５°位置決め面３３ａ，３３ａ間の間隔は、２つの４８°位置決め面３３ｂ，３３ｂ間の間隔よりも僅かに大きくなっている。切り換えレバー３４を回動操作することにより、切断機本体１０の傾動支軸２３を中心とする傾動に伴う当該第１切り換え部材３３の移動経路上に、４５°位置決め面３３ａ，３３ａが位置する状態（４５°傾斜位置）と、４８°位置決め面３３ｂ，３３ｂが位置する状態（４８°傾斜位置）とに切り換えることができる。
【００１１】
図４に示すように切り換えレバー３４を４５°傾斜位置に切り換えて、第１切り換え部材３３の移動経路上に４５°位置決め面３３ａ，３３ａを位置させた状態で切断機本体１０を左側へ傾斜させると、図４において左側の４５°位置決め面３３ａが左側の第２ストッパボルトＢ２に当接する。この場合、切断機本体１０は左側へ４５°傾斜した位置（左４５°傾斜切り位置）に位置決めされる。逆に、図５に示すように同状態で切断機本体１０を右側へ傾斜させると、図５において右側の４５°位置決め面３３ａが右側の第３ストッパボルトＢ３に当接する。この場合には、切断機本体１０が右側へ４５°傾斜した位置（右４５°傾斜切り位置）に位置決めされる。
切り換えレバー３４を上記の４５°傾斜位置から約９０°回転操作して４８°傾斜位置に切り換え、これにより第１切り換え部材３３の移動経路上に４８°位置決め面３３ｂ，３３ｂを位置させた状態（図示省略）で、図６に示すように切断機本体１０を左側へ傾斜させると、図６において左側の４８°位置決め面３３ｂが左側の第２ストッパボルトＢ２に当接する。この場合は、切断機本体１０は左側へ４８°傾斜した位置（左４８°傾斜切り位置）に位置決めされる。逆に、図７に示すように同状態で切断機本体１０を右側へ傾斜させると、図７において右側の４８°位置決め面３３ｂが右側の第３ストッパボルトＢ３に当接する。この場合には、切断機本体１０が右側へ４８°傾斜した位置（右４８°傾斜切り位置）に位置決めされる。
このように、切り換えレバー３４を４５°傾斜位置と４８°傾斜位置との間で９０°回転操作することにより、切断機本体１０を左右４５°で位置決めできる状態（図４，５）と、左右４８°で位置決めできる状態（図６，７）とに切り換えることができる。
第２及び第３ストッパボルトＢ２，Ｂ３も、それぞれ傾斜基台部２１の外部からその締め込み量を調整することができる。この第２及び第３ストッパボルトＢ２，Ｂ３の締め込み量を調整することにより、それぞれ切断機本体１０の左４５°又は左４８°傾斜切り位置、及び右４５°又は右４８°傾斜切り位置を微調整することができる。
【００１２】
第１実施形態の傾斜支持機構２０は、上記の第１系統の傾斜位置決め機構４０Ａに加えて第２系統の傾斜位置決め機構４０Ｂを備えている。第２系統の傾斜位置決め機構４０Ｂでは、切断機本体１０を、左右へ２２．５°又は３３．９°で傾斜させた位置に位置決めすることができる。以下、第２系統の傾斜位置決め機構４０Ｂについて説明する。
傾動基台部２１の上部には、上記第１〜第３ストッパボルトＢ１〜Ｂ３に加えて、第４〜第７ストッパボルトＢ４〜Ｂ７が配置されている。第４及び第５ストッパボルトＢ４，Ｂ５は、２２．５°傾斜切り位置の位置決めに用いられる。第６及び第７ストッパボルトＢ６，Ｂ７は、３３．９°傾斜切り位置の位置決めに用いられる。第４及び第５ストッパボルトＢ４，Ｂ５は、基線Ｓに対して相互に左右対称に配置されている。また、第６及び第７ストッパボルトＢ６，Ｂ７も基線Ｓに対して相互に左右対称に配置されている。
２２．５°傾斜位置決め用の第４及び第５ストッパボルトＢ４，Ｂ５は、基線Ｓに対してほぼ直交する横向きで相互に先端を対向させた状態に配置されている。また、３３．９°傾斜位置決め用の第６及び第７ストッパボルトＢ６，Ｂ７は、その先端側を斜め上向きにした状態に配置されている。このように設けられた第４〜第７ストッパボルトＢ４〜Ｂ７に第２切り換え部材４１を当接させることにより、切断機本体１０が左右に２２．５°若しくは３３．９°傾斜した位置に位置決めされる。
この第２切り換え部材４１は、その軸方向の位置について、図２において最も前側の２２．５°傾斜位置決め用の前位置と、この前位置よりも後退した、３３．９°傾斜位置決め用の後位置と、この後位置よりも後退した、待機位置との３位置に切り換えることができる。第２切り換え部材４１の３位置を切り換えるための機構の詳細が図２及び図３に示されている。
第２切り換え部材４１は、傾斜支持部２２の上部であって本体支持アーム８の基部付近に支持されている。本体支持アーム８の基部付近には、支持孔２２ａが設けられている。この支持孔２２ａ内に、第２切り換え部材４１がその軸線方向であって前後に移動可能に支持されている。この第２切り換え部材４１の後部には、作動プレート４２が固定ねじ４３で取り付けられている。この作動プレート４２は上方へ延びる状態に取り付けられている。作動プレート４２には上下に長い係合孔４２ａが設けられている。
【００１３】
作動プレート４２の係合孔４２ａには、係合ピン４５が挿入されている。この係合ピン４５は、Ｌ字形に屈曲した中間プレート４４の先端に取り付けられている。中間プレート４４は、切り換え部材４６の先端に取り付けられている。切り換え部材４６は、本体支持アーム８の側部に設けたボス部８ａに軸回りに回転可能に支持されている。この切り換え部材４６は、このボス部８ａを経て本体支持アーム８の側部から側方へ突き出されている。この突き出し部分に切り換えレバー４７が取り付けられている。この切り換えレバー４７を一定の角度範囲で回動操作することによって切り換え部材４６をその軸回りに回転させることができる。切り換えレバー４７は、ディテント４９によって回動方向３位置で位置保持される。
切り換えレバー４７の回動操作によって切り換え部材４６がその軸回りに回動する。図２に示すように切り換え部材４６が軸回りに回動すると、中間プレート４４が前後方向に傾動する。中間プレート４４が前後方向に傾動すると、その前後方向の変位成分によって係合ピン４５が前後に一体で変位する。係合ピン４５の上下方向の変位成分は、係合孔４２ａによって吸収される。係合ピン４５の前後方向の変位によって作動プレート４２が前後に変位し、これにより第２切り換え部材４１が前後に変位する。このように切り換えレバー４７の回動操作によって第２切り換え部材４１を前位置と後位置と待機位置の３位置に移動させることができる。
第２切り換え部材４１は、前位置と後位置では、その前部側が、支持孔２２ａから前側へ突き出される。支持孔２２ａから突き出された第２切り換え部材４１の前部側は、傾動基台部２１の上部に設けた切り換え凹部５０内に進入する。図３に示すようにこの切り換え凹部５０は、傾斜基台部２１の上部に沿って左右に円弧形に延びている。この切り換え凹部５０の左右両側において、前記した第４〜第７ストッパボルトＢ４〜Ｂ７の先端部がこの切り換え凹部５０内に突き出されている。
図２に示すように切り換え凹部５０の前側は塞がれている。切り換え凹部５０の後ろ側は、本体支持アーム８の基部側に向けて開口されている。この開口部を経て第２切り換え部材４１の前部が進入する。図２において、最も前側に移動した第２切り換え部材４１の前端部に符号Ｆが付され、最も後ろ側に移動した第２切り換え部材４１の前端部に符号Ｎが付され、その中間の位置に移動した第２切り換え部材４１の前端部に符号Ｒが付されている。以下これらの符号を、前位置Ｆ、後位置Ｒ、待機位置Ｎと用いる。第２切り換え部材４１の前端部は、前位置Ｆでは切り換え凹部５０の奥部に至り、後位置Ｒではこれよりも開口部側に止まっている。また、第２切り換え部材４１は、待機位置Ｎに至るとその前部が切り換え凹部５０から退出した状態（進入しない状態）となる。
【００１４】
前記した２２．５°傾斜位置決め用のストッパボルトＢ４，Ｂ５と、３３．９°傾斜位置決め用のストッパボルトＢ６，Ｂ７は、前後にずれて配置されており、前者は第２切り換え部材４１の前位置Ｆに対応して配置され、後者は第２切り換え部材４１の後位置Ｒに対応して配置されている。このため、第２切り換え部材４１を前位置Ｆに移動させた状態で切断機本体１０を左側（図２において紙面手前側）に傾動させるとこの第２切り換え部材４１の先端部が第４ストッパボルトＢ４に当接して、切断機本体１０が左側へ２２．５°傾斜した位置（左２２．５°傾斜切り位置）に位置決めされる。また、同じく第２切り換え部材４１を前位置Ｆに移動させた状態で切断機本体１０を右側（図２において紙面奥側）に傾動させると第２切り換え部材４１の先端部が第５ストッパボルトＢ５に当接し、これにより切断機本体１０が右側へ２２．５°傾斜した位置（右２２．５傾斜切り位置）に位置決めされる。図３以降に示すように、基線Ｓからの距離について、２２．５°傾斜位置決め用の第４及び第５ストッパボルトＢ４，Ｂ５は、３３．９°傾斜位置決め用の第６及び第７ストッパボルトＢ６，Ｂ７よりも相互に接近した位置に配置されている。このため、前位置Ｆに位置する第２切り換え部材４１が、第６及び第７ストッパボルトＢ６，Ｂ７に当接することはなく、逆に後位置Ｒに位置する第２切り換え部材４１が第４及び第５ストッパボルトＢ４，Ｂ５に当接することはない。このことから、第４ストッパボルトＢ４は左２２．５°傾斜位置決め用のストッパボルトとして機能し、第５ストッパボルトＢ５は右２２．５°傾斜位置決め用のストッパボルトとして機能する。また、第６ストッパボルトＢ６は左３３．９°傾斜位置決め用のストッパボルトとして機能し、第７ストッパボルトＢ７は右３３．９°傾斜位置決め用のストッパボルトとして機能する。
第２切り換え部材４１が後位置Ｒからさらに後退して待機位置Ｎに至ると、その前端部は、支持孔２２ａから側方へ突き出さず、従って切り換え凹部５０内から退避した状態となる。
図２中実線で示すように切り換えレバー４７を最も前側に回動操作すると、第２切り換え部材４１は最も後ろ側の待機位置Ｎに移動する。図２中二点鎖線で示すように切り換えレバー４７を中央の起立位置に回動操作すると、第２切り換え部材４１はその前端部を切り換え凹部５０の口元付近に進入させた後位置Ｒに移動する。切り換えレバー４７を最も後ろ側に回動操作すると、第２切り換え部材４１は最も前側の前位置Ｆに移動する。
【００１５】
第２切り換え部材４１は、待機位置Ｎに位置する状態では、当該第２切り換え部材４１は第４〜第７ストッパボルトＢ４〜Ｂ７の何れにも当接せず、従って位置決めの機能を有しない状態となる。前記した第１切り換え部材３３を回動操作してなされる切断機本体１０の左右４５°又は左右４８°傾斜位置決めは、第２切り換え部材４１をこの待機位置Ｎに位置させた状態でなされる。
逆に、以下説明するように、切断機本体１０を左右２２．５°又は３３．９°傾斜した位置に位置決めする場合には、第２ストッパボルトＢ２、第３ストッパボルトＢ３及び第１切り換え部材３３は機能しない。
また、切断機本体１０を直角切り位置から左右へ傾斜させる場合には、前記したように固定レバー２５をアンロック位置に回動操作することの他に、右側へ傾斜させる場合にはさらに右傾斜ボタン３６を押し操作して直角位置決め部材３１を位置決め位置から外す必要がある。以下の説明では、固定レバー２５のアンロック操作及び直角位置決め解除操作が予めなされた状態で、切断機本体１０が左右に傾動操作されるものとする。
切り換えレバー４７を図２中二点鎖線で示す最も後ろ側に回動操作して第２切り換え部材４１を前位置Ｆに位置させた状態では、切断機本体１０が左右へ２２．５°傾斜した位置に位置決めされる。図８は、切断機本体１０が左側へ２２．５°傾斜した位置に位置決めされた状態を示している。この場合、第２切り換え部材４１が第４ストッパボルトＢ４に当接することにより、切断機本体１０が左側へ２２．５°傾斜した位置に位置決めされる。これに対して、図９に示すように切断機本体１０を右側へ２２．５°傾斜させると、第２切り換え部材４１が第５ストッパボルトＢ５に当接して、切断機本体１０が右側へ２２．５°傾斜した位置に位置決めされる。
切り換えレバー４７を図２中二点鎖線で示す中央の起立位置に回動操作して第２切り換え部材４１を後位置Ｒに位置させた状態では、切断機本体１０が左右へ３３．９°傾斜した位置に位置決めされる。図１０は、切断機本体１０が左側へ３３．９°傾斜した位置に位置決めされた状態を示している。この場合、第２切り換え部材４１が第６ストッパボルトＢ６に当接することによって切断機本体１０が左側へ３３．９°傾斜した位置に位置決めされる。これに対して、図１１に示すように切断機本体１０を右側へ３３．９°傾斜せると、第２切り換え部材４１が第７ストッパボルトＢ７に当接して、切断機本体１０が右側へ３３．９°傾斜した位置に位置決めされる。
切断機本体１０の各傾斜切り位置での位置決め状態は、前記固定レバー２５をロック位置に回動操作することによって強固に固定される。
【００１６】
以上説明したように第１及び第２系統の傾斜位置決め機構４０Ａ，４０Ｂによれば、切断機本体１０を直角切り位置の他、左右へ２２．５°、３３．９°、４５°及び４８°の各傾斜切り位置に位置決めすることができる。これらの各傾斜切り位置は、第１切り換え部材３３を第２若しくは第３ストッパボルトＢ２，Ｂ３に当接させ、あるいは第２切り換え部材４１を第４〜第７ストッパボルトＢ４〜Ｂ７に当接させることによるいわゆるボジティブストップ機構によって迅速かつ精確になされる。
このことから、使用者は従来のようにわざわざ角度目盛りを確認しながら切断機本体１０を傾斜させる必要がないので、切断機本体１０の傾動操作を迅速かつ精確に行うことができ、この点で当該卓上切断機１の使い勝手を向上させることができる。
また、最も多用する直角切り位置、４５°傾斜切り位置に加えて、より多くの傾斜角度（本例では、左右にそれぞれ２２．５°、３３．９°及び４８°）で切断機本体１０を位置決めすることができる。このため、使用者が選択できる傾斜切り位置の傾斜角度について従来よりも選択の幅が広がり、これにより従来よりも多様な形態の切断加工を行うことが容易になる。
さらに、各ストッパボルトＢ１〜Ｂ７の締め込み量を調整することによって、切断機本体１０の直角切り位置、各傾斜切り位置の微調整を行うことができる。
以上説明した第１実施形態には種々変更を加えることができる。例えば、最も多用する直角切り位置と４５°傾斜切り位置の他、位置決め可能な傾斜角度として、２２．５°、３３．９°、４８°を例示したが、その他の傾斜角度について同様のポジティブストップ機構を用いる構成としてもよい。
また、左右両側に同様の角度で傾斜させることができる形態の切断機を例示したが、片側のみ傾斜可能な切断機あついは片側についてのみ例示したポジティブストップ機構を備えた切断機とすることもできる。
さらに、切断機本体１０をテーブル面方向にスライドさせるスライド機構を備えた切断機１を例示したが、係るスライド機構を備えない切断機であって、切断機本体１０を単に上下に傾動操作することにより切断加工を行う形態の卓上切断機についても同様に適用することができる。
【００１７】
次に、図１２以降には、第２実施形態の傾斜支持機構６０が示されている。この第２実施形態の傾斜支持機構６０は、特許請求の範囲の請求項５に記載した発明の実施形態に相当する。この第２実施形態の傾斜支持機構６０は、第１実施形態の傾斜支持機構２０と同じく、テーブル２の後部に固定された傾斜基台部６１と、この傾斜基台部６１に対して傾斜支軸６６を介して回転可能に結合された傾斜支持部６２を備えている。傾斜支持部６２に本体支持アーム８を介して切断機本体１０が上下に傾動操作可能に支持されている。
傾動支持部６２には、直角位置決め部材６３が設けられている。この直角位置決め部材６３は、第１実施形態の傾動支持機構２０における切り換え部材３１がそのまま流用されている。この直角位置決め部材６３は、支軸６４を介して上下に傾動可能な状態で傾動支持部６２の内部に支持されている。この直角位置決め部材６３は、図示省略した捩りばねによってその先端部６３ａを傾動基台部６１の内壁６１ａに押圧する方向に付勢されている。図１２及び図１３は、捩りばねの付勢力によって直角位置決め部材６３の先端部６３ａが傾動基台部６１の内壁６１ａに押圧された状態を示している。直角位置決め部材６３のこの位置が位置決め位置に相当する。
ばね付勢力に抗して直角位置決め部材６３は、傾動支持部６２の側部に設けた押しボタン６７により図示反時計回り方向に傾動操作される。この押しボタン６７には、第１実施形態の傾動支持部２０における右傾斜ボタン３６がそのまま流用されている。この押しボタン６７には作動軸６７ａが取り付けられている。この作動軸６７ａの先端部は、直角位置決め部材６３の側部に設けた当接凸部６３ｂに突き当てられている。この押しボタン６７を図１２において右側へ押し操作すると、作動軸６７ａを介して直角位置決め部材６３が支軸６４を中心にして図示反時計回り方向に傾動する。図１４及び図１５は、捩りばねの付勢力に抗して直角位置決め部材６３の先端部６３ａが傾斜基台部６１の内壁６１ａから離間した状態を示している。直角位置決め部材６３のこの位置が退避位置に相当する。
傾動支持部６２の下部には、傾斜位置決め部材６５が一体に設けられている。この傾斜位置決め部材６５はブロック体形状をなすもので、傾斜支軸６６を中心とする円周方向について両端面となる側部に４５°位置決め面６５ａと４８°位置決め面６５ｂが設けられている。
【００１８】
傾動基台部６１には、合計４本のストッパボルトＢ１、Ｂ８、Ｂ９及びＢ１０が取り付けられている。第１ストッパボルトＢ１は、第１実施形態と同じく切断機本体１０を直角切り位置に位置決めするためのストッパボルトであり、第８ストッパボルトＢ８は、切断機本体１０を左側へ４５°傾斜させた左４５°傾斜切り位置に位置決めするためのストッパボルトである。
図１２に示すように直角位置決め部材６３の先端部６３ａが第１ストッパボルトＢ１に当接することにより、第１実施形態と同じく切断機本体１０が直角切り位置に位置決めされる。これに対して、図１３に示すように直角位置決め部材６３の先端部６３ａが第８ストッパボルトＢ８に当接することにより、切断機本体１０が左４５°傾斜切り位置に位置決めされる。
また、第９ストッパボルトＢ９は、切断機本体１０を右側へ４５°傾斜させた右４５°傾斜切り位置に位置決めするためのストッパボルトであり、第１０ストッパボルトＢ１０は、切断機本体１０を左側へ４８°傾斜させた左４８°傾斜切り位置に位置決めするためのストッパボルトである。図１４に示すように傾斜位置決め部材６５の４５°位置決め面６５ａが第９ストッパボルトＢ９に当接することにより切断機本体１０が右４５°傾斜切り位置に位置決めされる。これに対して、図１５に示すように傾斜位置決め部材６５の４８°位置決め面６５ｂが第１０ストッパボルトＢ１０に当接することにより切断機本体１０が左４８°傾斜切り位置に位置決めされる。
前記したように押しボタン６７を押し操作しない状態（図１２及び図１３に示す状態）では、直角位置決め部材６３がその付勢力により位置決め位置（その先端部６３ａが傾斜基台部６１の内壁面６１ａに当接した位置）に保持される。直角位置決め部材６３が位置決め位置に位置する状態では、切断機本体１０を直角切り位置（図１２）と左４５°傾斜切り位置（図１３）に位置決めすることができる。
図示するように直角切り位置と左４５°傾斜切り位置の双方において、直角位置決め部材６３の先端部６３ａが第１ストッパボルトＢ１又は第８ストッパボルトＢ８に当接してポジティブストップ機構に用いられる構成となっている。この点は、第１実施形態とは異なっており、第２実施形態は、直角位置決め部材６３が直角切り位置の他に傾斜切り位置の位置決めに利用される点に大きな特徴を有している。
押しボタン６７を押し操作して直角位置決め部材６３を位置決め位置から退避位置に移動させることにより、切断機本体１０を右４５°傾斜切り位置と左４８°傾斜切り位置に位置決めすることができる。図１４に示すように切断機本体１０の右４５°傾斜切り位置への位置決めは、傾斜位置決め部材６５の４５°位置決め面６５ａが第９ストッパボルトＢ９に当接することによりなされる。また、図１５に示すように切断機本体１０の左４８°傾斜切り位置への位置決めは、傾斜位置決め部材６５の４８°位置決め面６５ｂが第１０ストッパボルトＢ１０に当接することによりなされる。
直角切り位置及び各傾斜切り位置は、各ストッパボルトＢ１，Ｂ８，Ｂ９，Ｂ１０の締め込み量を個別に調整することによって微調整することができる。
【００１９】
以上説明したように第２実施形態の傾斜支持機構６０によれば、切断機本体１０を直角切り位置の他、左４５°傾斜切り位置（第１傾斜角度）と、右４５°傾斜切り位置（第２傾斜角度）及び左４８°傾斜切り位置（第３傾斜角度）に位置決めすることができる。直角切り位置と左４５°傾斜切り位置は、直角位置決め部材６３の先端部６３ａが第１ストッパボルトＢ１若しくは第８ストッパボルトＢ８に当接することによりなされる。
また、右４５°傾斜切り位置と左４８°傾斜切り位置の位置決めは、直角位置決め部材６３を退避位置に移動操作した状態で、傾斜位置決め部材６５が第９ストッパボルトＢ９若しくは第１０ストッパボルトＢ１０に当接することによりなされる。このことから、第２実施形態の傾斜支持機構６０においても、直角切り位置と４５°傾斜切り位置に加えて４８°傾斜切り位置についてもいわゆるポジティブストップ機構によって位置決めされることから、従来よりも切断機本体１０の位置決めを迅速かつ精確に行うことができる。
このように、第２実施形態の傾斜支持機構６０によれば、直角位置決め部材６３を位置決め位置に位置させた状態では、切断機本体１０を直角切り位置と左４５°傾斜切り位置に位置決めすることができ、直角位置決め部材６３を退避位置に位置させた状態では、切断機本体１０を右４５°傾斜切り位置と左４８°傾斜切り位置に位置決めすることができ、直角位置決め部材６３の切り換え操作のみで直角切り位置（傾斜角度０°）を含む４つの傾斜角度についてポジティブストップ機構により位置決めすることができる。このことから、第２実施形態の傾斜支持部６０によれば、直角位置決め部材６３を傾斜切り位置の位置決めにも利用することにより簡易な構成かつ単純な操作で多くの傾斜角度に位置決めすることができるようになる。
第２実施形態についても様々な変更を加えることができる。例えば、各ストッパボルトＢ８，Ｂ９，Ｂ１０により実現される傾斜切り位置（傾斜角度）は、その他の傾斜角度に任意に設定することができる。
また、傾斜位置決め部材６５は傾斜支持部２２に一体に設けた構成を例示したが、回転操作可能に設け、あるいは周方向に沿って移動操作可能に設けて、第９ストッパボルトＢ９及び第１０ストッパボルトＢ１０に当接する位置決め面を切り換え可能な構成とすることによって、さらに多くの傾斜角度に位置決め可能とすることができる。
【図面の簡単な説明】
【００２０】
【図１】本発明の第１実施形態に係る卓上切断機の全体側面図である。
【図２】本発明の第１実施形態に係る傾斜支持機構の縦断面図である。
【図３】第１実施形態の傾斜支持機構の内部を後ろ側（図２において矢印(III)方向、以下同じ）から見た図である。本図は、切断機本体を直角切り位置に位置決めした状態を示している。
【図４】第１実施形態の傾斜支持機構の内部を後ろ側から見た図である。本図は、切断機本体を左４５°傾斜切り位置に位置決めした状態を示している。
【図５】第１実施形態の傾斜支持機構の内部を後ろ側から見た図である。本図は、切断機本体を右４５°傾斜切り位置に位置決めした状態を示している。
【図６】第１実施形態の傾斜支持機構の内部を後ろ側から見た図である。本図は、切断機本体を左４８°傾斜切り位置に位置決めした状態を示している。
【図７】第１実施形態の傾斜支持機構の内部を後ろ側から見た図である。本図は、切断機本体を右４８°傾斜切り位置に位置決めした状態を示している。
【図８】第１実施形態の傾斜支持機構の内部を後ろ側から見た図である。本図は、切断機本体を左２２．５°傾斜切り位置に位置決めした状態を示している。
【図９】第１実施形態の傾斜支持機構の内部を後ろ側から見た図である。本図は、切断機本体を右２２．５°傾斜切り位置に位置決めした状態を示している。
【図１０】第１実施形態の傾斜支持機構の内部を後ろ側から見た図である。本図は、切断機本体を左３３．９°傾斜切り位置に位置決めした状態を示している。
【図１１】第１実施形態の傾斜支持機構の内部を後ろ側から見た図である。本図は、切断機本体を右３３．９°傾斜切り位置に位置決めした状態を示している。
【図１２】第２実施形態の傾斜支持機構を後ろ側から見た図である。本図は、切断機本体を直角切り位置に位置決めした状態を示している。
【図１３】第２実施形態の傾斜支持機構を後ろ側から見た図である。本図は、切断機本体を左４５°傾斜切り位置に位置決めした状態を示している。
【図１４】第２実施形態の傾斜支持機構を後ろ側から見た図である。本図は、切断機本体を右４５°傾斜切り位置に位置決めした状態を示している。
【図１５】第２実施形態の傾斜支持機構を後ろ側から見た図である。本図は、切断機本体を左４８°傾斜切り位置に位置決めした状態を示している。
【符号の説明】
【００２１】
１…卓上切断機
Ｗ…切断材
２…テーブル、２ａ…グリップ部、２ｂ…ロック機構
３…ベース
４…本体支持部、５…位置決めフェンス、６…スライドバー
８…本体支持アーム、８ａ…ボス部
９…本体傾動軸
１０…切断機本体
１１…本体ケース
１２…回転刃具、１２ａ…回転方向を表示する矢印
１３…スピンドル、１４…ハンドル部、１５…スイッチレバー
１６…可動カバー、１７…リンクアーム、１７ａ…支軸
２０…傾斜支持機構
２１…傾斜基台部、２１ａ…規制部
２２…傾斜支持部
２３…傾斜支軸
２４…固定部材、２４ａ…ねじ軸部
２５…固定レバー
Ｓ…基線（直角切り位置）
３０…直角位置決め機構
３１…直角位置決め部材、３１ａ…作動凸部
３２…支軸
３３…第１切り換え部材、３３ａ…４５°位置決め面、３３ｂ…４８°位置決め面
３４…切り換えレバー
３５…ディテント、３６…右傾斜用ボタン、３６ａ…作動軸部
Ｂ１…第１ストッパボルト（直角切り位置決め用）
Ｂ２…第２ストッパボルト（左４５°又は４８°傾斜位置決め用）
Ｂ３…第３ストッパボルト（右４５°又は４８°傾斜位置決め用）
Ｂ４…第４ストッパボルト（左２２．５°傾斜位置決め用）
Ｂ５…第５ストッパボルト（右２２．５°傾斜位置決め用）
Ｂ６…第６ストッパボルト（左３３．９°傾斜位置決め用）
Ｂ７…第７ストッパボルト（右３３．９°傾斜位置決め用）
４０…傾斜位置決め機構
４０Ａ…第１系統の傾斜位置決め機構、４０Ｂ…第２系統の傾斜位置決め機構
４１…第２切り換え部材
４２…作動プレート、４２ａ…係合孔
４３…固定ねじ、４４…中間プレート、４５…係合ピン
４６…切り換え部材、４７…切り換えレバー、４９…ディテント
５０…切り換え凹部
６０…傾斜支持機構
６１…傾斜基台部、６１ａ…内壁
６２…傾斜支持部
６３…直角位置決め部材、６３ａ…先端部、６３ｂ…当接凸部
６４…支軸
６５…傾斜位置決め部材、６５ａ…４５°位置決め面、６５ｂ…４８°位置決め面
６６…傾斜支軸
６７…押しボタン、６７ａ…作動軸
Ｂ８…第８ストッパボルト（左４５°位置決め用）
Ｂ９…第９ストッパボルト（右４５°位置決め用）
Ｂ１０…第１０ストッパボルト（左４８°位置決め用）
【図１】
2010125540.tif 000003
【図２】
2010125540.tif 000004
【図３】
2010125540.tif 000005
【図４】
2010125540.tif 000006
【図５】
2010125540.tif 000007
【図６】
2010125540.tif 000008
【図７】
2010125540.tif 000009
【図８】
2010125540.tif 000010
【図９】
2010125540.tif 000011
【図１０】
2010125540.tif 000012
【図１１】
2010125540.tif 000013
【図１２】
2010125540.tif 000014
【図１３】
2010125540.tif 000015
【図１４】
2010125540.tif 000016
【図１５】
2010125540.tif 000017